(57)【要約】【課題】デザインパネルのデザインシートの位置ずれを防止できる遊技機を提供する。【解決手段】前面部のリール前ユニット６０に、背面側からＬＥＤ６２ａによって照らされるデザインパネル６１が設けられ、デザインパネル６１は、当該デザインパネル６１の正面側を構成する正面パネル６５と、デザインパネル６１の背面側を構成する背面パネル６６と、正面パネル６５と背面パネル６６とで挟持された透光性を有するデザインシート６７とを備え、デザインシート６７は、その縁部に係合部６７ｊが設けられ、この係合部６７ｊがリール前ユニット６０に設けられた被係合部９７に係合されているので、デザインパネル６１のデザインシート６７の位置ずれを防止できる。【選択図】図１１
2017104393.tif 000002
【特許請求の範囲】
【請求項１】
前面部に、背面側から光源によって照らされるデザインパネルが設けられた遊技機において、
前記デザインパネルは、当該デザインパネルの正面側を構成する正面パネルと、前記デザインパネルの背面側を構成する背面パネルと、前記正面パネルと前記背面パネルとで挟持された透光性を有するデザインシートとを備え、
前記デザインシートは、その縁部の少なくとも一部に係合部が設けられ、
この係合部が前記前面部に設けられた被係合部に係合されていることを特徴とする遊技機。
【請求項２】
前記背面パネルの裏面側に設けられる固定部材を備え、
この固定部材が前記デザインパネルを挟んだ状態で前記前面部に固定されていることを特徴とする請求項１に記載の遊技機。
【請求項３】
前記固定部材は、前記デザインシートの裏面に当接するデザインシート当接部と、前記背面パネルの裏面に当接する背面パネル当接部とを有していることを特徴とする請求項２に記載の遊技機。
【発明の詳細な説明】
【技術分野】
【０００１】
本発明は、前面部に光源によって照らされるデザインパネルが設けられた遊技機に関する。
【背景技術】
【０００２】
前扉の前面にデザインパネルが設けられた遊技機の一例として特許文献１に記載のものが知られている。
この遊技機は、前扉本体と、この前扉本体の前面に形成された装着凹部を閉塞するように配設されるデザインパネルと、前記装着凹部内に配設されて、前記デザインパネルを背面側から照らす照明装置とを備えている。
そして、前記デザインパネルは、照明装置とともに前扉本体にビスによって共締めすることで、前扉本体に取り付けられている。
【０００３】
また、デザインパネルは、デザインシートと、このデザインシートの前面を保護するカバー体と、該デザインシートの背面を保護するベース体とを組み付けてなる三層構造をなしている。
デザインシートは、透光性の樹脂シートであり、その表面には、キャラクタ等の意匠が形成（印刷）されている。カバー体とベース体は、略同形状の透明樹脂部材であり、ベース体が、カバー体の背面側に重なり合うように嵌合することで、カバー体とベース体との間にデザインシートを挟持し、デザインシートの表裏を保護している。
【先行技術文献】
【特許文献】
【０００４】
【特許文献１】特開２０１４−２２３３２３号公報
【発明の概要】
【発明が解決しようとする課題】
【０００５】
ところで、前記従来の遊技機では、デザインシートがカバー体とベース体との間に設けられ、当該カバー体とベース体とで挟持されているが、デザインシートの下部は略円弧を形成するように弾性的に撓んでいるので、経年使用によって、デザインシートの位置がずれてしまうという虞があった。
また、経年使用によるデザインシートの位置ずれは、上述したように、デザインシートの下部等が弾性的に撓んでなくても、遊技機に不可避的に生じる振動等によっても起こり得る。
【０００６】
本発明は、前記事情に鑑みてなされたもので、デザインパネルのデザインシートの位置ずれを防止できる遊技機を提供することを目的とする。
【課題を解決するための手段】
【０００７】
前記目的を達成するために、本発明の遊技機は、前面部に、背面側から光源によって照らされるデザインパネルが設けられた遊技機において、
前記デザインパネルは、当該デザインパネルの正面側を構成する正面パネルと、前記デザインパネルの背面側を構成する背面パネルと、前記正面パネルと前記背面パネルとで挟持された透光性を有するデザインシートとを備え、
前記デザインシートは、その縁部の少なくとも一部に係合部が設けられ、
この係合部が前記前面部に設けられた被係合部に係合されていることを特徴とする。
【０００８】
本発明においては、デザインシートの縁部の少なくとも一部に設けられた係合部が遊技機の前面部に設けられた被係合部に係合されているので、デザインパネルのデザインシートの位置ずれを防止できる。
【０００９】
また、本発明の前記構成において、前記背面パネルの裏面側に設けられる固定部材を備え、
この固定部材が前記デザインパネルを挟んだ状態で前記前面部に固定されているのが好ましい。
【００１０】
このような構成によれば、固定部材がデザインパネルを挟んだ状態で前面部に固定されているので、当該固定部材と前面部とでデザインパネルを挟み付けて強固に固定できる。
【００１１】
また、本発明の前記構成において、前記固定部材は、前記デザインシートの裏面に当接するデザインシート当接部と、前記背面パネルの裏面に当接する背面パネル当接部とを有していることが好ましい。
【００１２】
このような構成によれば、デザインシート当接部がデザインシートに裏面に当接して、当該デザインシートを正面パネルに押え付けるとともに、背面パネル当接部が背面パネルの裏面に当接して、当該背面パネルをデザインシートを介して正面パネルに押え付けることができる。したがって、固定部材を遊技機の前面部に固定するだけで、デザインシートを押え付けながら、前面部に位置決め固定できる。
また、デザインシートを押え付けるための部品を新たに追加する必要がないので、デザインパネルの省スペース化を図ることができる。
【発明の効果】
【００１３】
本発明によれば、デザインシートの係合部が遊技機の前面部に設けられた被係合部に係合されているので、デザインシートの位置ずれを防止できる。
【図面の簡単な説明】
【００１４】
【図１】本発明の実施の形態に係る遊技機の一例を示すもので、前扉の下扉を開いた状態を示す斜視図である。
【図２】同、リール前ユニットの斜視図である。
【図３】同、照明装置の分解斜視図である。
【図４】同、リール前ユニットを取り外した状態の上扉の正面図である。
【図５】同、デザインパネルの組立工程を示すもので、（ａ）は正面パネルの背面側を示す斜視図、（ｂ）は正面パネルにデザインシートを重ねた状態を示す背面側の斜視図、（ｃ）デザインシートに背面パネルを重ねた状態を示す背面側の斜視図である。
【図６】同、デザインシートの正面側の斜視図である。
【図７】同、背面パネルの正面側の斜視図である。
【図８】同、固定パネルの正面側の斜視図である。
【図９】同、デザインパネルをリール前ユニットに組み付ける工程を示すもので、取付部を示す背面図、取付部にデザインパネルを組み付けた状態を示す背面図、（ｃ）はデザインパネルを固定パネルで固定した状態を示す背面図である。
【図１０】同、リール前ユニットの取付部を正面側から見た斜視図である。
【図１１】同、リール前ユニットの取付部を背面側から見た斜視図である。
【図１２】同、デザインパネルに固定パネルを重ねた状態を示す断面図である。
【発明を実施するための形態】
【００１５】
以下、本発明の実施の形態について図面を参照して説明する。本実施の形態は本発明を遊技機の一つであるスロットマシンに適用した場合を例にとって説明するが、本発明はスロットマシンに限ることなく、その他の遊技機に適用してもよい。
なお、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１６】
まず、発明が適用されるスロットマシンＭの概略構成について説明する。
図１は下扉４０を開いた状態のスロットマシンＭを示す斜視図である。
このスロットマシンＭは、筐体１を備えており、この筐体１は、底板、左右の側板、天板および背板を備え、当該筐体１の正面側に開口する正面開口部を有する箱形に形成されている。なお、底板の上面には、各部品に電力を供給するための電源装置を内蔵した電源ユニット４、メダルを貯留するとともにメダルを払い出す払い出し装置としてのホッパーユニット５等が設けられている。
【００１７】
また、筐体１の正面には、筐体１の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
前記筐体１内には、交換ユニットが着脱可能に設けられている。この交換ユニットは、略直方体状に組まれた金属枠である枠体と、枠体に支持されたリールユニットと、枠体に固定された基板ユニットとを備えている。
リールユニットは、枠体に設けられた３個のステッピングモータと、各々のステッピングモータの出力軸に固定された３個の回転リールとを備えている。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１８】
図１に示すように、上扉３０の下部には表示窓３１が設けられている。この表示窓３１は上側ほど後側に向かうように水平面に対して傾斜して設けられ、この表示窓３１の奥には、前記３個の回転リールが横一列に設けられている。各回転リールの外周面には複数種類の図柄が配列されており、回転リールが停止すると表示窓３１を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部には、表示窓３１より大きい表示窓３２がほぼ鉛直に設けられている。この表示窓３２は上扉３０に設けられた表示ユニットの表示面を見るために設けられたものであり、この表示ユニットでは、その表示面に遊技機における演出用の画像が表示されるようになっている。
また、上扉３０の表示窓３２の上側中央部には、報知や演出などを行うための照明装置３３が設けられている。
また、表示窓３２と表示窓３１との間には報知や演出などを行うための横長の照明装置３４，３５，３４が左右に隣接して設けられている。
また、表示窓３１の左右両側には報知や演出などを行うための照明装置３６が設けられている。さらに、各照明装置３６の表示窓３１と逆側には報知や演出などを行うための照明装置３７が設けられている。
【００１９】
また、上扉３０は、筐体１内に設けられた前記交換ユニットにヒンジを介して回動可能に連結されることで、筐体１の開口上部を開閉するようになっている。また、下扉４０は筐体１にヒンジ３８，３８を介して回動可能に連結されることで、筐体１の開口下部を開閉するようになっている。
【００２０】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニット４やホッパーユニット５等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
【００２１】
また、上扉３０の下端部には、下扉４０の前面より後方側で下扉４０の上端より下側に突出する係合部が設けられ、下扉４０が閉じた状態で、上扉３０を開放することができない構造になっている。
【００２２】
また、下扉４０の上部には、スロットマシンＭを操作するための操作部が設けられている。操作部には、クレジットされたメダルを払い出すための精算スイッチ、ゲームを開始させるためのスタートレバー、回転リールの回転を停止させるためのストップスイッチ、メダルを投入するためのメダル投入口、メダル投入口の下方のメダル通路内で発生したメダル詰まりを解消するリジェクトボタン、最大数の３枚のメダルをゲームに投資するときに操作されるＭＡＸベットスイッチボタン等が設けられる他、遊技の演出等を選択するための操作盤や、表示ユニットが設けられている。操作盤は操作部の幅方向（左右方向）の略中央部に配置され、メダル投入口およびリジェクトボタンを挟んで、右側に表示ユニットが配置されている。なお、操作盤には、演出等の選択用の十字キー、決定ボタン、キャンセルボタン等を有している。
【００２３】
また、下扉４０の下部には、スロットマシン内部よりメダルを排出するためのメダル払い出し口と、メダル払い出し口から排出されたメダルを溜めておくためのメダル受け皿とが設けられている。また、操作部とメダル受け皿との間には液晶表示パネルが取り付けられている。
【００２４】
次に、本発明に係るデザインパネルおよびその取付構造について説明する。
図２は、上述した照明装置３６，３６を左右両側に備えたリール前ユニット６０を示す斜視図である。このリール前ユニット６０は、上扉３０の前面部の下部を構成するとともに、その左右方向中央部に表示窓３１を有しており、上述したように、この表示窓３１の奥に、回転リールが横一列に設けられるようになっている。
照明装置３６，３６は左右対称に配置されているので、以下では右側の照明装置３６について説明し、左側の照明装置３６の説明は省略する。
図３に示すように、照明装置３６は、デザインパネル６１と、このデザインパネル６１をリール前ユニット６０に固定する固定パネル６８と、デザインパネル６１をその背面側から照らす光源としての複数のＬＥＤ６２ａを有するＬＥＤ基板６２とを備えている。
ＬＥＤ基板６２は、固定パネル６８の背面側に設けられるとともに、図４に示すように、上扉３０のキャビネットベース６３の下部右側に取り付けられている。なお、キャビネットベース６３の下部左側には、左側の照明装置３６のＬＥＤ基板６２が取り付けられている。
【００２５】
デザインパネル６１は、図３に示すように、当該デザインパネルの正面側を構成する正面パネル６５と、デザインパネル６１の背面側を構成する背面パネル６６と、正面パネル６５と背面パネル６６とで挟持された透光性を有するデザインシート６７とを備えて構成されている。また、背面パネル６６の裏面側には、固定パネル（固定部材）６８が設けられている。
【００２６】
正面パネル６５は、図５（ａ）に示すように、透明な樹脂からなる略矩形板状の部材であり、その上辺は円弧状に湾曲している。正面パネル６５は、背面側から見て、平板状のパネル本体６５ａと、このパネル本体６５ａの上辺側、下辺側および左辺側にパネル本体６５ａから直角に突出するようにして設けられた立壁部６５ｃと、この立壁部６５ｃの上端に外側に向けて突出するようにして設けられたフランジ部６５ｂとを有している。また、パネル本体６５ａの右辺部は背面側に円弧状に湾曲した湾曲部６５ｗとなっており、その先端部はフランジ部６５ｂより背面側に突出している。
【００２７】
フランジ部６５ｂの円弧状の上片部には細い柱状でかつ上片部に対して直角に突出する突起６５ｇと、当該突起６５ｇと離間して貫通孔６５ｅとが設けられている。上片部の貫通孔６５ｅの略半分は当該上片部に設けられた半円弧状の凸部６５ｆに設けられている。
フランジ部６５ｂの下片部には、略半円弧状の凸部６５ｄが設けられ、この凸部６５ｄに細い柱状の突起６５ｇが凸部６５ｄに対して直角に突出するようにして設けられている。また、下片部には凸部６５ｄと離間して略半円弧状の凸部６５ｈが設けられ、この凸部６５ｈに貫通孔６５ｅが設けられている。なお、貫通孔６５ｅの略半分は下片部に設けられている。なお、凸部６５ｄと凸部６５ｈとの間には略半円弧状の凸部が設けられ、凸部６５ｄの左側には矩形状の凸部が設けられている。
【００２８】
デザインシート６７は、図６に示すように、透光性を有する樹脂で形成された略矩形のシート状のものであり、その上辺は正面パネル６５と同様に円弧状に湾曲している。デザインシート６７は、シート本体６７ａと、このシート本体６７ａの左辺から略円弧状に背面側に湾曲して延びる湾曲部６７ｂとを有している。シート本体６７ａの略中央部には、例えば蝶を模した意匠部６７ｃが施されており、背面側から光が照らされると、この意匠部６７ｃが明るく光るようになっている。
また、シート本体６７ａの上辺には、半円弧状の２つの切欠部６７ｄ，６７ｅが離間して設けられている。また、シート本体６７ａの下辺には半円状の切欠部６７ｆ、円状の孔６７ｇ、略矩形でかつ底部が円弧状の切欠部６７ｈが互いに離間して設けられている。
また、湾曲部６７ｂの上下方向に沿う縁部には、略矩形の２つの切欠部（係合部）６７ｊ，６７ｊが上下に離間して設けられている。
【００２９】
そして、このようなデザインシート６７は、図５（ｂ）に示すように、そのシート本体６７ａの縁部を正面パネル６５の背面側のフランジ部６５ｂ（図５（ａ）参照）に当接するとともに、湾曲部６７ｂを正面パネル６５の湾曲部６５ｗに沿わせるようにして、正面パネル６５の背面（裏面）に重ね合わせる。この状態において、デザインシート６７の上辺の切欠部６７ｄに、正面パネル６５の上縁部側の突起６５ｇが嵌まり込むとともに、デザインシート６７の下辺の孔６７ｇに、正面パネル６５の下縁部側の突起６５ｇが挿通されている。これによって、正面パネル６５に対するデザインシート６７の位置決めがなされている。
このようにして、正面パネル６５に対してデザインシート６７が位置決めされることによって、正面パネル６５の上縁部側の貫通孔６５ｅと下縁部側の貫通孔６５ｅとは、デザインシート６７によって覆われることなく、その切欠部６７ｅと切欠部６７ｆとによって背面側に露出した状態となっている。
【００３０】
背面パネル６６は、図７に示すように、透明な樹脂からなる略矩形板状の部材であり、その上辺は正面パネル６５およびデザインシート６７と同様に円弧状に湾曲している。背面パネル６６は、平板状のパネル本体６６ａを有しており、このパネル本体６６ａの上辺には略半円状の凸部６６ｂが設けられ、この凸部６６ｂに貫通孔６６ｃが設けられている。
また、パネル本体６６ａの下辺には、略半円状の凸部６６ｄと矩形状の凸部６６ｅが設けられ、凸部６６ｄに貫通孔６６ｆが設けられている。
さらに、パネル本体６６ａの表面側には、右辺に沿って凸条６６ｇが設けられ、下辺に沿って凸条６６ｈが設けられている。
【００３１】
そして、このような背面パネル６６は、図５（ｃ）に示すように、正面パネル６５に重ねて設けられているデザインシート６７の背面（裏面）に重ねて設ける。この状態において、背面パネル６６の上辺側の貫通孔６６ｃに正面パネル６５の上縁部側の突起６５ｇが挿通されるとともに、背面パネル６６の下辺側の貫通孔６６ｆに正面パネル６５の下縁部側の突起６５ｇが挿通されている。これによって、正面パネル６５およびデザインシート６７に対する背面パネル６６の位置決めがなされている。
また、この状態において、デザインシート６７の湾曲部６７ｂは、背面パネル６６の右辺から延出している。また、当該湾曲部６７ｂの切欠部（係合部）６７ｊ，６７ｊが設けられた縁部は、正面パネル６５の湾曲部６５ｗの縁部および背面パネル６６の右辺より背面側に突出している。
また、背面パネル６６をデザインシート６７に重ねた状態において、正面パネル６５の貫通孔６５ｅ，６５ｅは、背面パネル６６によって覆われることなく、背面側に露出している。
【００３２】
固定パネル（固定部材）６８は、正面パネル６５、背面パネル６６およびデザインシート６７からなるデザインパネル６１を、リール前ユニット６０（図２参照）に固定する機能を有するとともに、ＬＥＤ基板６２のＬＥＤ６２ａからデザインパネル６１の背面に照射される光が当該デザインパネル６１の外周側から漏洩するのを防止しつつデザインパネル６１の背面で反射した光をさらに反射してデザインパネル６１の背面に照射するための反射板としての機能を有している。
【００３３】
固定パネル６８は、透光性を有しない樹脂によって形成され、図８に示すように、正面視において略矩形状をなすとともに、中央部に開口部７０が設けられた固定パネル本体６８ａを有している。正面視において固定パネル本体６８ａの上辺は略円弧状に形成され、下辺、左辺および右辺は直線状に形成されている。
固定パネル本体６８ａの上辺には正面側に向けて突出する略円弧状の上壁部７１が設けられている。この上壁部７１には外側に向けて円筒面状に膨出する膨出部が設けられており、この膨出部の内側に凹所７１ａ，７１ａが離間して設けられている。
また、固定パネル本体６８ａの上辺部には、デザインシート６７の裏面に当接するデザインシート当接部７２が上壁部７１の長手方向に沿って設けられている。デザインシート当接部７２は固定パネル本体６８ａの表面から突出する壁状のものであり、２つの当接部材によって構成されている。当接部材間には所定の間隔が設けられ、この間隔において、固定パネル本体６８ａに円状の凹所７３が設けられている。また、この凹所７３から所定距離だけ離れた位置に、デザインシート当接部７２の上端から突出する細い柱状の突起７４が設けられている。
また、固定パネル本体６８ａの表面は、デザインシート当接部７２の下端から開口部７０の上縁にかけて滑らかな円弧面となっている。
【００３４】
また、固定パネル本体６８ａの左辺には正面側に向けて突出する側壁部７５が設けられている。この側壁部７５の長手方向（図８において上下方向）の中央部には、背面パネル６６の裏面に当接する背面パネル当接部７６が設けられている。この背面パネル当接部７６は固定パネル本体６８ａの表面から側壁部７５の内面に沿って延びる略柱状のものであり、その先端部は側壁部７５の上端から僅かに突出しており、この突出した部分が背面パネル６６の裏面に当接するようになっている。
【００３５】
また、固定パネル本体６８ａの右辺には正面側に向けて突出する側壁部７７が設けられている。この側壁部７７の長手方向（図８において上下方向）の中央部より若干上方位置には、背面パネル６６の裏面に当接する背面パネル当接部７８が設けられている。この背面パネル当接部７８の先端部は側壁部７７の上端から僅かに突出しており、この突出した部分が背面パネル６６の裏面に当接するようになっている。
なお、側壁部７７の高さは、側壁部７５の高さと等しくなっており、背面パネル当接部７８の先端部の側壁部７７からの突出長さは、背面パネル当接部７６の先端部の側壁部７５からの突出長さと等しくなっている。
また、固定パネル本体６８ａの表面は、側壁部７７の先端から開口部７０の右縁にかけて滑らかな円弧面となっている。
【００３６】
固定パネル本体６８ａの下辺には正面側に向けて突出する下壁部８０が設けられている。この下壁部８０の長手方向中央部でかつ外側を向く面には凹所８０ａが設けられている。
また、固定パネル本体６８ａの下辺部には、デザインシート６７の裏面に当接するデザインシート当接部８２が下壁部８０の長手方向に沿って設けられている。デザインシート当接部８２は下壁部８０の外側を向く面に沿って設けられており、当該デザインシート当接部８２の先端部は、下壁部８０より正面側に突出している。
デザインシート当接部８２は、３つの当接部材で構成され、隣り合う当接部材は所定の間隔をもって配置されている。また、当接部材の下面には補強リブ８２ａが設けられている。
また、デザインシート当接部８２には、当該デザインシート当接部８２の上端から突出する細い柱状の突起８４が設けられている。
【００３７】
また、下壁部８０の長手方向両端部と中央部とには、それぞれ背面パネル６６の裏面に当接する背面パネル当接部８６が設けられている。この背面パネル当接部８６の先端部は下壁部８０の上端から僅かに突出しており、この突出した部分が背面パネル６６の裏面に当接するようになっている。
また、固定パネル本体６８ａの表面は、下壁部８０の先端から開口部７０の下縁にかけて滑らかな円弧面となっている。
【００３８】
また、固定パネル本体６８ａの上縁部の両端部と、下縁部の両端部とには、それぞれ固定部８７が設けられている。この固定部８７は固定パネル６８をリール前ユニット６０にねじ等の止着部材によって固定するためのものであり、固定パネル本体６８ａから突出する固定片とこの固定片に設けられた取付孔８７ｂとを有している。
固定パネル本体６８ａの右上部の固定部８７と、左下部の固定部８７とは座掘部を有しており、この座掘部に取付孔８７ｂが設けられている。
また、固定パネル本体６８ａには、開口部７０を左右に掛け渡すようにして２本の補強フレーム８８，８８が上下に離間して設けられている。
【００３９】
上述したようなデザインパネル６１を固定パネル６８によってリール前ユニット６０に固定する場合、以下のようにして行う。
まず、デザインパネル６１を取り付けるための取付部９０について説明する。
図９（ａ）は、リール前ユニット６０の正面側における右側部分を示す背面図である。背面から見ると、リール前ユニット６０の左端部には、デザインパネル６１を取り付けるための取付部９０が設けられている。この取付部９０は、開口部９１を囲むようにして設けられている設置面９２と、この設置面９２の周囲に設けられた４つの固定柱９３とを有しており、固定柱９３の先端面には雌ねじが形成されている。
また、取付部９０は、図１０に示すように、リール前ユニット６０の正面側において、当接面９４を有している。この当接面９４は、リール前ユニット６０の正面（前面）とほぼ平行な上下に延在する帯状の面であり、開口部９１の左縁に沿って設けられている。
【００４０】
また、リール前ユニット６０には、図１０および図１１に示すように、デザインシート６７に設けられた切欠部（係合部）６７ｊ，６７ｊが係合される突条（被係合部）９７，９７が設けられている。
突条（被係合部）９７は、開口部９１の側方（図１０において左側方、図１１において右側方）に設けられている壁面９８に当接面９４と直角に配置されている。壁面９８は、表示窓３１を構成する側壁の外側を向く面であり、当該壁面９８は開口部９１の開口面とほぼ直角に配置されている。
また、突条（被係合部）９７の上端部（壁面９８から突出する方向における上端部）は当接面９４より開口部９１の内側に突出している。また、この突条（被係合部）９７の先端面９７ａは当接面９４より若干リール前ユニット６０の背面側に位置している。
【００４１】
そして、リール前ユニット６０の取付部９０にデザインパネル６１を取り付ける場合、図９（ｂ）に示すように、リール前ユニット６０の背面側から取付部９０にデザインパネル６１を嵌め込む。
この場合、デザインパネル６１を正面パネル６５から取付部９０に挿入し、正面パネル６５のフランジ部６５ｂを取付部９０の設置面９２に設置する。デザインパネル６１を取付部９０に挿入する場合、当該デザインパネル６１を若干傾けて、図５（ｃ）に示す右側部側から挿入して、正面パネル６５の湾曲部６５ｗの先端面を当接面９４（図１０参照）に当接しつつ、フランジ部６５ｂを設置面９２に設置する。
また、デザインパネル６１を若干傾けて取付部９０に挿入する場合、図１１に示すように、デザインシート６７の湾曲部６７ｂに形成されている切欠部（係合部）６７ｊ，６７ｊを、取付部９０の突条（被係合部）９７，９７の先端部に係合するとともに、図９（ｂ）に示すように、デザインシート６７の左縁部を壁部９９に当接する。なお、図１１に示すように、切欠部（係合部）６７ｊ，６７ｊを、取付部９０の突条（被係合部）９７，９７の先端部に係合する場合、切欠部６７ｊ，６７ｊの底部が突条９７，９７の先端面９７ａ，９７ａに当接する。
このようにして、デザインシート６７は、図１１において、上下方向および左右方向への移動が規制される。また、切欠部（係合部）６７ｊ，６７ｊの底部が突条（被係合部）９７，９７の先端面９７ａ，９７ａに当接しているので、デザインシート６７の湾曲部６７ｂの突条（被係合部）９７，９７の長手方向への移動が規制される。したがって、デザインシート６７の位置ずれを防止できる。
【００４２】
次に、図９（ｃ）に示すように、固定パネル６８をその正面側からデザインパネル６１の背面パネル６６に重ねるようにして被せるとともに、固定パネル６８の４つの固定部８７を取付部９０の４つの固定柱９３の先端面に設置する。この場合、４つの固定部８７のうち、左上側の固定部８７ａと右下側の固定部８７ａとは、その座掘部を固定柱９３の上端部に被せるとともに、座掘部の底面を固定柱９３の先端面に設置する。
このようにして固定パネル６８をデザインパネル６１に重ねるようにして被せると、固定パネル６８の突起７４，８４（図８参照）が正面パネル６５の貫通孔６５ｅ，６５ｅ（図５（ａ）参照）に挿入されるとともに、固定パネル６８の凹所７１ａ，７１ａが正面パネル６５の凸部６５ｆと背面パネル６６の凸部６６ｂに嵌まり込む。これによって、固定パネル６８をデザインパネル６１に対して位置決めして取り付けることができる。
【００４３】
次に、図９（ｃ）に示すように、４つの固定部８７の取付孔８７ｂ（図８参照）に、ねじ１００を挿通して固定柱９３の雌ねじにねじ込むことによって、固定パネル６８を取付部９０に固定して取り付ける。このようにして、デザインパネル６１をリール前ユニット６０に固定パネル６８によって挟み付けるようにして固定する。
【００４４】
この状態において、図１２に示すように、固定パネル６８のデザインシート当接部７２，８２がデザインシート６７の裏面に当接して、当該デザインシート６７を正面パネル６５のフランジ部６５ｂに押え付けるとともに、固定パネル６８の背面パネル当接部７６，７８，８６が背面パネル６６に当接して、当該背面パネル６６をデザインシート６７を介して正面パネル６５に押え付けることができる。したがって、固定パネル６８をリール前ユニット６０に固定するだけで、デザインシート６７を押え付けながら、リール前ユニット６０に位置決め固定できる。なお、図１２においては、デザインシート当接部７２、背面パネル当接部７６，７８は、図１２に示す断面では現われないため、デザインシート当接部７２、背面パネル当接部７６，７８は記載していない。
【００４５】
以上のように、本実施の形態によれば、デザインシート６７の湾曲部６７ｂに設けられた係合部６７ｊ，６７ｊが遊技機のリール前ユニット６０に設けられた被係合部９７，９７に係合されているので、デザインパネル６１のデザインシート６７の位置ずれを防止できる。
また、固定パネル６８がリール前ユニット６０の取付部９０に固定されているので、当該固定パネル６８と取付部９０とでデザインパネル６１を挟み付けて強固に固定できる。
【００４６】
さらに、固定パネル６８は、デザインシート当接部７２，８２と、背面パネル当接部７６，７８，８６とを有しているので、固定パネル６８を遊技機のリール前ユニット６０に固定するだけで、デザインシート６７を押え付けながら、リール前ユニット６０に位置決め固定できる。
また、デザインシート６７を押え付けるための部品を新たに追加する必要がないので、デザインパネル６１の省スペース化を図ることができる。
【００４７】
なお、本実施の形態では、デザインパネル６１をリール前ユニット６０の取付部９０に固定するための固定部材として、図８に示すような固定パネル６８を使用した場合を例にとって説明したが、固定部材はパネル状に形成されていなくてもよい。要は、固定部材がデザインパネル６１を挟んだ状態で取付部９０に固定できれば、形状はどのようなものであってもよい。
また、本実施の形態ではデザインパネル６１をリール前ユニット６０に取り付ける場合を例にとって説明したが、これに限ることなく、デザインパネル６１はリール前ユニット６０以外の遊技機の前面部の所定の部位に取り付けるものであってもよい。
【符号の説明】
【００４８】
６０  リール前ユニット（前面部）
６１  デザインパネル
６２ａ  ＬＥＤ（光源）
６５  正面パネル
６６  背面パネル
６７  デザインシート
６８  固定パネル（固定部材）
６７ｊ  切欠部（係合部）
９７  突条（被係合部）
７２，８２  デザインシート当接部
７６，７８，８６  背面パネル当接部
【図１】
2017104393.tif 000003
【図２】
2017104393.tif 000004
【図３】
2017104393.tif 000005
【図４】
2017104393.tif 000006
【図５】
2017104393.tif 000007
【図６】
2017104393.tif 000008
【図７】
2017104393.tif 000009
【図８】
2017104393.tif 000010
【図９】
2017104393.tif 000011
【図１０】
2017104393.tif 000012
【図１１】
2017104393.tif 000013
【図１２】
2017104393.tif 000014